(57)【要約】【課題】基板に曲げ力などが加えられる場合、基板からの電気要素の分離を防止しうる平板ディスプレイ装置を提供する。【解決手段】密封材によって相互接合される基板及び密封基板の間に配置及び密封されるディスプレイ領域と、前記ディスプレイ領域と電気的に疎通される電気要素とを具備する平板ディスプレイ装置において、前記電気要素の外側の少なくとも一部に具備され、配置される領域の剛性を周りの剛性より増大させる少なくとも一つの剛性部材を含むことを特徴とする平板ディスプレイ装置である。 本発明によれば、ディスプレイ領域に加えられるたわみ力や曲げ力が、基板の一面上に付着した水平駆動回路部のような電気要素までの伝達を防止する剛性部材を具備することで、ディスプレイ領域に曲げ力などが加えられる場合に電気要素が基板から分離されることを防止しうる。【選択図】図１
2005284252.tif 000002
【特許請求の範囲】
【請求項１】
密封材によって相互接合される基板及び密封基板の間に配置及び密封されるディスプレイ領域と、
前記ディスプレイ領域と電気的に接続される電気要素とを具備する平板ディスプレイ装置において、
前記電気要素の外側の少なくとも一部に設けられ、配置される領域の剛性を周りの剛性より増大させる少なくとも一つの剛性部材を含むことを特徴とする平板ディスプレイ装置。
【請求項２】
前記剛性部材の少なくとも一部は、前記電気要素と前記ディスプレイ領域との間に配置されることを特徴とする請求項１に記載の平板ディスプレイ装置。
【請求項３】
前記剛性部材の少なくとも一部は、前記電気要素と前記密封材との間に配置されることを特徴とする請求項１に記載の平板ディスプレイ装置。
【請求項４】
前記剛性部材の少なくとも一部は、前記密封材内に配置されることを特徴とする請求項１に記載の平板ディスプレイ装置。
【請求項５】
前記剛性部材の少なくとも一部は、前記密封材と前記ディスプレイ領域との間に配置されることを特徴とする請求項１に記載の平板ディスプレイ装置。
【請求項６】
前記剛性部材は少なくとも二つ設けられ、前記電気要素は前記剛性部材の間に配置されることを特徴とする請求項２〜５のいずれか一項に記載の平板ディスプレイ装置。
【請求項７】
前記剛性部材の長さは、前記電気要素の長さ以上であることを特徴とする請求項１に記載の平板ディスプレイ装置。
【請求項８】
前記剛性部材の少なくとも一部は、前記電気要素の長手方向に垂直に配置されることを特徴とする請求項１に記載の平板ディスプレイ装置。
【請求項９】
前記剛性部材は少なくとも二つ設けられ、前記電気要素は前記剛性部材の間に配置されることを特徴とする請求項８に記載の平板ディスプレイ装置。
【請求項１０】
前記剛性部材の長さは、前記電気要素の幅以上であることを特徴とする請求項８に記載の平板ディスプレイ装置。
【請求項１１】
前記剛性部材は少なくとも二つ設けられ、前記ディスプレイ領域は前記剛性部材の間に配置されることを特徴とする請求項１に記載の平板ディスプレイ装置。
【請求項１２】
前記剛性部材の少なくとも一部は、前記密封基板及び前記密封材のうちの少なくとも一方の少なくとも一側に密着されることを特徴とする請求項１に記載の平板ディスプレイ装置。
【請求項１３】
前記ディスプレイ領域には、電界発光素子が含まれることを特徴とする請求項１〜５のいずれか一項に記載の平板ディスプレイ装置。
【請求項１４】
前記基板は、可撓性基板であることを特徴とする請求項１〜５のいずれか一項に記載の平板ディスプレイ装置。
【請求項１５】
前記剛性部材は、接着性テープであることを特徴とする請求項１〜５のいずれか一項に記載の平板ディスプレイ装置。
【請求項１６】
密封材によって相互接合される基板及び密封基板の間に配置及び密封されるディスプレイ領域と、
前記ディスプレイ領域と電気的に接続される電気要素とを具備する電界発光ディスプレイ装置において、
前記電気要素の外側の少なくとも一部に設けられ、前記基板より大きい剛性を有する少なくとも一つの剛性部材を含むことを特徴とする電界発光ディスプレイ装置。
【請求項１７】
少なくとも密封層によって密封されるディスプレイ領域と、
前記ディスプレイ領域と電気的に接続される電気要素とを具備する平板ディスプレイ装置において、
前記電気要素の外側の少なくとも一部に設けられ、配置される領域の剛性を周りの剛性より増大させる少なくとも一つの剛性部材を含むことを特徴とする平板ディスプレイ装置。
【請求項１８】
前記剛性部材の少なくとも一部は、前記電気要素と前記ディスプレイ領域との間に配置されることを特徴とする請求項１７に記載の平板ディスプレイ装置。
【請求項１９】
前記剛性部材は少なくとも二つ設けられ、前記電気要素は前記剛性部材の間に配置されることを特徴とする請求項１７に記載の平板ディスプレイ装置。
【請求項２０】
前記剛性部材の長さは、前記電気要素の長さ以上であることを特徴とする請求項１７に記載の平板ディスプレイ装置。
【請求項２１】
前記剛性部材の少なくとも一部は、前記電気要素の長手方向に垂直に配置されることを特徴とする請求項１７に記載の平板ディスプレイ装置。
【請求項２２】
前記剛性部材は少なくとも二つ設けられ、前記電気要素は前記剛性部材の間に配置されることを特徴とする請求項２１に記載の平板ディスプレイ装置。
【請求項２３】
前記剛性部材の長さは、前記電気要素の幅以上であることを特徴とする請求項２１に記載の平板ディスプレイ装置。
【請求項２４】
前記剛性部材は少なくとも二つ設けられ、前記ディスプレイ領域は前記剛性部材の間に配置されることを特徴とする請求項１７に記載の平板ディスプレイ装置。
【請求項２５】
前記ディスプレイ領域には電界発光素子が含まれることを特徴とする請求項１７に記載の平板ディスプレイ装置。
【請求項２６】
前記基板は、可撓性基板であることを特徴とする請求項１７〜２５のいずれか一項に記載の平板ディスプレイ装置。
【請求項２７】
前記剛性部材は、接着性テープであることを特徴とする請求項１７〜２５のいずれか一項に記載の平板ディスプレイ装置。
【請求項２８】
少なくとも密封層によって密封されるディスプレイ領域と、
前記ディスプレイ領域と電気的に接続される電気要素とを具備する電界発光ディスプレイ装置において、
前記電気要素の外側の少なくとも一部に設けられ、配置される領域の剛性を周りの剛性より増大させる少なくとも一つの剛性部材を含むことを特徴とする電界発光ディスプレイ装置。
【発明の詳細な説明】
【技術分野】
【０００１】
本発明は、平板ディスプレイ装置に関し、より詳細には、基板に加わるたわみ力や曲げ力によって基板から電気要素などが分離することを防止しうる平板ディスプレイ装置に関する。
【背景技術】
【０００２】
画像の表示において、数多くの種類のディスプレイ装置が使われているが、近来には、従来のブラウン管、すなわちＣＲＴ(Cathode Ray Tube)を代替する多様な平板ディスプレイ装置が使われている。このような平板ディスプレイ装置は、発光形態によって自発光型と非自発光型とに分類されうる。自発光型ディスプレイ装置には、平面ブラウン管、プラズマディスプレイ装置、真空蛍光表示装置、電界放出ディスプレイ装置、無機/有機電界発光ディスプレイ素子などがあり、非自発光型ディスプレイ装置には、液晶ディスプレイ装置がある。
【０００３】
このような平板ディスプレイ装置については、市場のニーズによって多様な開発が行われているが、その中でも可撓性基板上にディスプレイ領域を形成することで、より簡便な装着性及び携帯性を確保したディスプレイ装置が注目を浴びている。
【０００４】
さらに、平板ディスプレイ装置のディスプレイ領域を駆動させる駆動ドライバーは、作動の時に発熱による性能低下を防止するために外装形態として基板の一面上に付着する構造になりうるが、特許文献１にはドライバーＩＣを透明基板に密着状態に実装した平板ディスプレイ装置が開示されている。
【０００５】
このようなドライバーＩＣなどは、特許文献２に開示されているように、異方性導電フィルムを通じて基板上に装着される。
【０００６】
しかし、従来の技術によれば、可撓性基板に付着したドライバーにたわみ力や曲げ力が加えられる場合、基板とドライバーとの間に存在する異方性導電フィルムなどが加えられる力に耐えられないため、基板からドライバーのような電気要素が分離されるという問題点がある。
【０００７】
特許文献３には、外部の衝撃ないし振動によるＴＣＰ接続部などの断線を防止するために、くさび型部材を用いて液晶表示パネルを固定させる構造が開示されている。
特許文献４には、駆動チップを実装するために基板に凹溝部が形成された液晶表示装置が開示されている。駆動チップを基板に正確にマウンティングでき、外部衝撃に対して駆動チップを保護しうるという長所を有する。
【０００８】
さらに、特許文献５には、導光板の自重が作用する場合、曲げ力に対して柔軟性を有して衝撃エネルギーを吸収しうる、スリットのような変形防止部が形成されたＬＣＤモジュールが開示されている。
【０００９】
しかし、前記従来の技術は、基板ないしパネル、特に可撓性基板などにたわみ力や曲げ力が加えられる場合、基板から駆動チップなどのような電気要素が分離されるという問題点の解決ができなかった。
【特許文献１】特開２０００-２６８７３５号公報
【特許文献２】特開２００３-１１４４４６号公報
【特許文献３】特開平１１-２４９１１３号公報
【特許文献４】韓国特許出願公開第２００１-５５６７０号明細書
【特許文献５】韓国特許出願公開第２００２-９３３０号明細書
【発明の開示】
【発明が解決しようとする課題】
【００１０】
本発明は、前記問題点を解決するためのものであり、基板に曲げ力などが加えられる場合、基板からの電気要素の分離を防止しうる平板ディスプレイ装置を提供することを目的とする。
【課題を解決するための手段】
【００１１】
前記のような目的を果たすために、本発明の一実施形態によれば、密封材によって相互接合される基板及び密封基板の間に配置及び密封されるディスプレイ領域と、前記ディスプレイ領域と電気的に接続される電気要素とを具備する平板ディスプレイ装置において、前記電気要素の外側の少なくとも一部に設けられ、配置される領域の剛性を周りの剛性より増大させる少なくとも一つの剛性部材を含むことを特徴とする平板ディスプレイ装置を提供する。
【００１２】
前記本発明の平板ディスプレイ装置によれば、前記剛性部材の少なくとも一部は、前記電気要素と前記ディスプレイ領域との間に配置されうる。
【００１３】
前記本発明の平板ディスプレイ装置によれば、前記剛性部材の少なくとも一部は、前記電気要素と前記密封材との間に配置されうる。
【００１４】
前記本発明の平板ディスプレイ装置によれば、前記剛性部材の少なくとも一部は、前記密封材内に配置されうる。
【００１５】
前記本発明の平板ディスプレイ装置によれば、前記剛性部材の少なくとも一部は、前記密封材と前記ディスプレイ領域との間に配置されうる。
【００１６】
前記本発明の平板ディスプレイ装置によれば、前記剛性部材は少なくとも二つが設けられ、前記電気要素は前記剛性部材の間に配置されうる。
【００１７】
前記本発明の平板ディスプレイ装置によれば、前記剛性部材の長さは前記電気要素の長さ以上でもありうる。
【００１８】
前記本発明の平板ディスプレイ装置によれば、前記剛性部材の少なくとも一部は、前記電気要素の長手方向に垂直に配置されうる。
【００１９】
前記本発明の平板ディスプレイ装置によれば、前記剛性部材は少なくとも二つ設けられ、前記電気要素は前記剛性部材の間に配置されうる。
【００２０】
前記本発明の平板ディスプレイ装置によれば、前記剛性部材の長さは前記電気要素の幅以上でありうる。
【００２１】
前記本発明の平板ディスプレイ装置によれば、前記剛性部材は少なくとも二つ設けられ、前記ディスプレイ領域は前記剛性部材の間に配置されうる。
【００２２】
前記本発明の平板ディスプレイ装置によれば、前記剛性部材の少なくとも一部は前記密封基板及び前記密封材のうちの少なくとも一方の少なくとも一側に密着されうる。
【００２３】
前記本発明の平板ディスプレイ装置によれば、前記ディスプレイ領域には電界発光素子が含まれうる。
【００２４】
前記本発明の平板ディスプレイ装置によれば、前記基板は可撓性基板でありうる。
【００２５】
前記本発明の平板ディスプレイ装置によれば、前記剛性部材は接着性テープでありうる。
【００２６】
本発明の他の一実施形態によれば、密封材によって相互接合される基板及び密封基板の間に配置及び密封されるディスプレイ領域と、前記ディスプレイ領域と電気的に接続される電気要素とを具備する電界発光ディスプレイ装置において、前記電気要素外側の少なくとも一部に設けられ、前記基板より大きい剛性を有する少なくとも一つの剛性部材を含むことを特徴とする電界発光ディスプレイ装置を提供しうる。
【００２７】
本発明のさらに他の一実施形態によれば、少なくとも密封層によって密封されるディスプレイ領域と、前記ディスプレイ領域と電気的に接続される電気要素とを具備する平板ディスプレイ装置において、前記電気要素外側の少なくとも一部に設けられ、配置される領域の剛性を周りの剛性より増大させる少なくとも一つの剛性部材を含むことを特徴とする平板ディスプレイ装置を提供しうる。
【００２８】
前記本発明の平板ディスプレイ装置によれば、前記剛性部材の少なくとも一部は、前記電気要素と前記ディスプレイ領域との間に配置されうる。
【００２９】
前記本発明の平板ディスプレイ装置によれば、前記剛性部材は少なくとも二つ設けられ、前記電気要素は前記剛性部材の間に配置されうる。
【００３０】
前記本発明の平板ディスプレイ装置によれば、前記剛性部材の長さは前記電気要素の長さ以上でもありうる。
【００３１】
前記本発明の平板ディスプレイ装置によれば、前記剛性部材の少なくとも一部は、前記電気要素の長手方向に垂直に配置されうる。
【００３２】
前記本発明の平板ディスプレイ装置によれば、前記剛性部材は少なくとも二つ設けられ、前記電気要素は前記剛性部材の間に配置されうる。
【００３３】
前記本発明の平板ディスプレイ装置によれば、前記剛性部材の長さは前記電気要素の幅以上でありうる。
【００３４】
前記本発明の平板ディスプレイ装置によれば、前記剛性部材は少なくとも二つ設けられ、前記ディスプレイ領域は前記剛性部材の間に配置されうる。
【００３５】
前記本発明の平板ディスプレイ装置によれば、前記ディスプレイ領域には電界発光素子が含まれうる。
【００３６】
前記本発明の平板ディスプレイ装置によれば、前記基板は可撓性基板でありうる。
【００３７】
前記本発明の平板ディスプレイ装置によれば、前記剛性部材は接着性テープでありうる。
【００３８】
本発明のさらに他の一実施形態によれば、少なくとも密封層によって密封されるディスプレイ領域と、前記ディスプレイ領域と電気的に接続される電気要素とを具備する電界発光ディスプレイ装置において、前記電気要素の外側の少なくとも一部に設けられ、配置される領域の剛性を周りの剛性より増大させる少なくとも一つの剛性部材を含むことを特徴とする電界発光ディスプレイ装置を提供する。
【発明の効果】
【００３９】
本発明によれば、ディスプレイ領域に加えられるたわみ力や曲げ力が、基板の一面上に付着した水平駆動回路部のような電気要素まで伝達されることを防止する剛性部材を具備することで、ディスプレイ領域に曲げ力などが加えられる場合に電気要素が基板から分離されることを防止しうる。
【００４０】
さらに、剛性部材の位置及び個数を適切に選択することで、電気要素などが配置された領域にたわみ力や曲げ力が伝達されないようにして電気要素が基板から分離されることを防止しうる。
【００４１】
一方、剛性部材を密封材、及び密封材とディスプレイ領域との間に配置することで、基板にたわみ力や曲げ力が加えられる場合に電気要素が基板から分離することを防止するばかりか、剛性部材を配置するための別途の空間が要求されないという長所を有しうる。
【００４２】
さらに、剛性部材の少なくとも一部を密封材及び密封基板の外側の少なくとも一部と密着させて接着力や密封材に対する支持力を増大させることで、ディスプレイ領域にたわみ力や曲げ力が加えられる場合に発生するおそれのある密封材と基板ないし密封基板との分離を防止しうる。
【発明を実施するための最良の形態】
【００４３】
以下、図面を参照して本発明の実施形態についてより詳しく説明する。
【００４４】
図１には本発明の一実施形態による平板ディスプレイ装置の概略的な斜視図が図示され、図２Ａには本発明の一実施形態による有機電界発光ディスプレイ装置が概略的に図示されている。
【００４５】
基板１０の一面上には、例えば積層部によって形成されるディスプレイ領域１１(図２Ａ参照)が形成される。基板１０は、密封材３０を介して密封基板２０と共に、少なくともディスプレイ領域１１を密封する。基板１０は、ガラス以外にも多様な材料、特に可撓性を有する材料で構成でき、例えばポリエチレンテレフタレート(ＰＥＴ)、ポリエチレンナフタレート(ＰＥＮ)、ポリイミドなどのようなプラスチックでも構成されるが、基板の材料がこれに限定されるものではない。
【００４６】
基板１０の一面の一側上には、例えばディスプレイ領域１１を構成する画素にデータ信号を印加する水平駆動回路部のように、ディスプレイ領域１１と電気的に接続される電気要素４０が配置される。電気要素４０及びディスプレイ領域１１に電気的信号を送受信するための端子部(図示せず)が、基板１０の一側に形成される。
【００４７】
一方、電気要素４０の外側の一部には、少なくとも一つの剛性部材５０が配置される。図１のI-I線による断面図が図２Ａに図示されているが、ここで本発明の特徴を明確にするため各種配線の図示は略した。
【００４８】
密封材３０によって基板１０及び密封基板２０で密封されたディスプレイ領域１１と、前記電気要素４０との間に、剛性部材５０が配置される。
【００４９】
剛性部材５０が配置される領域は周りより大きい剛性を有するようになり、場合によっては剛性部材５０が基板１０より大きい剛性を有しうる。剛性部材５０は、棒タイプあるいはテープタイプで構成でき、製造の便宜性のために接着性のあるテープタイプでも構成されうるが、本発明による剛性部材は、これら剛性の大きさ及び類型に限られずに多様に構成されうる。
【００５０】
一方、基板１０の一側を固定させ、他側すなわちディスプレイ領域１１が配置される部分にたわみ力や曲げ力を加えれば、図２Ｂに示されるように、剛性部材５０に垂直な点線を基準にディスプレイ領域１１が配置されている部分で基板１０はρの曲率を有するが、剛性部材５０に垂直な点線を基準に電気要素４０が配置されている部分で基板１０は曲率がほとんど無限であるのが分かる。すなわち、剛性部材５０によって、ディスプレイ領域１１に加えられる曲げ力は、電気要素４０が配置されている部分にはほとんど伝達されない。
【００５１】
本発明による平板ディスプレイ装置が具備する剛性部材５０は、多様に構成されうる。図３Ａに示されるように、剛性部材５０”は、ディスプレイ領域１１と電気要素(図示せず、図２Ａ参照)との間に配置されるが、密封材３０内にも配置されうる。すなわち、剛性部材５０”が密封材３０によって取り囲まれうる。
【００５２】
また、図３Ｂに図示されるように、剛性部材５０”は、電気要素とディスプレイ領域１１との間に配置されるが、密封材３０によって基板１０及び密封基板２０と共に形成される密封領域内にも配置されうる。このような構成は、剛性部材５０”のための別途の配置領域が要求されないという点で望ましい。
【００５３】
一方、本発明の平板ディスプレイ装置は、より効果的に電気要素などを保護するために、少なくとも二つ以上の剛性部材を具備しうる。すなわち、図４Ａに示されるように、二つの剛性部材５０ａ,５０ｂの間に電気要素４０を位置させるようにも配置しうる。図４ＡでII-II線による断面は、図２Ａに図示されたものと同じである。
【００５４】
このとき、ディスプレイ領域(図２Ａ参照)から基板１０に沿って伝達されるたわみ力または曲げ力の電気要素４０への伝達を防止するために、電気要素４０の長さｌｄは，剛性部材５０ａ,５０ｂの長さｌｒ以下であることが望ましい。
【００５５】
また、図４Ｂに示されるように、剛性部材は、電気要素４０の外側の少なくとも一部に配置されるが、電気要素４０の長手方向に対して垂直に配置されうる。この場合、剛性部材は、少なくとも二つの剛性部材５０ｃ,５０ｄが配置され、電気要素４０がこれらの間に配置されるが、電気要素４０の長手方向は剛性部材５０ｃ,５０ｄの長手方向と相互に垂直に配置されうる。
【００５６】
このとき、図４Ｂに示されるように、たわみ力や曲げ力の伝達が阻止される領域(点線表示)内に電気要素４０が配置される場合、剛性部材５０ｃ,５０ｄの長さｌｒ'は電気要素４０の幅Ｗｄ'以上であることが望ましい。
【００５７】
さらに、本発明による平板ディスプレイ装置の剛性部材は、密封基板及び密封材のうちの少なくとも一方の少なくとも一側に密着されうる。ここでは、図５Ａ及び図５ＡのIII-III線による断面図である図５Ｂに図示されるように、剛性部材５０ａ'は、密封材３０及び密封基板２０の一側に密着されうる。これにより、基板１０にたわみ力や曲げ力が加えられる場合に、密封材３０が配置される密封領域での密封材３０を介した密封基板２０と基板１０との接着力が弱化されることを防止しうる。
【００５８】
さらに他の一実施形態として、図６Ａ及び図６Ａの線IV-IVによる断面図である図６Ｂに示されるように、剛性部材５０ａ"がディスプレイ領域１１と電気要素４０との間に配置されるが、剛性部材５０ａ"は、密封基板２０における密封材３０との接触面と反対側の面上に配置されうる。
【００５９】
一方、図７Ａに示されるように、ディスプレイ領域１１は、少なくとも二つの剛性部材５０ａ,５０ｅの間に配置されうる。この場合、図７Ｂに示されるように、ディスプレイ領域１１を二つの剛性部材５０ａ,５０ｅの間に置いて、基板１０にねじりモーメントが加わる場合、最上端に配置された剛性部材５０ｅとディスプレイ領域１１及び電気要素４０の間の剛性部材５０ａとにより、基板１０に対する過度なたわみ(あるいは曲げ)が電気要素４０に伝達することを防止しうる。
【００６０】
前記実施形態では、密封材を用いてディスプレイ領域を密封するための密封基板が具備された場合について記述されているが、本発明はこれに制限されるものではない。すなわち、図８に示されるように、密封基板なしに薄膜形態の密封層２０′によってディスプレイ領域が密封される場合にも本発明の思想は同じく適用され、前記の具体的な実施形態は同様に適用されうる。
【００６１】
本発明は、平板ディスプレイ装置に関するものであり、図２Ａなどにはディスプレイ領域１１を積層された形態で表示したが、これに限られるものではない。すなわち、ディスプレイ領域１１には有機及び/または無機電界発光素子、または液晶表示素子が含まれうるなど、特定形態の素子に限定されるのではなく、剛性部材を具備する平板ディスプレイ装置の範囲内で、多様な変形例を考慮しうる。
【００６２】
本発明は、添付された図面に示された一実施形態を参照して説明されたが、これは例示的なものに過ぎず、当該技術分野での当業者なら、これから多様な変形及び均等な他の実施形態が可能である点が理解されうる。したがって、本発明の真の保護範囲は特許請求の範囲のみによって決定されなければならない。
【産業上の利用可能性】
【００６３】
本発明の平板ディスプレイ装置は、ＰＤＰ、ＬＣＤなどの多様な画像表示装置に適用できる。
【図面の簡単な説明】
【００６４】
【図１】本発明の一実施形態による平板ディスプレイ装置の概略的な斜視図である。
【図２Ａ】図１のI-I線による部分断面図である。
【図２Ｂ】図１のI-I線に沿って曲げ力を加えた場合の部分断面図である。
【図３Ａ】本発明の他の一実施形態による平板ディスプレイ装置の部分断面図である。
【図３Ｂ】本発明の他の一実施形態による平板ディスプレイ装置の部分断面図である。
【図４Ａ】本発明のさらに他の一実施形態による平板ディスプレイ装置の概略的な平面図である。
【図４Ｂ】本発明のさらに他の一実施形態による平板ディスプレイ装置の概略的な平面図である。
【図５Ａ】本発明のさらに他の一実施形態による平板ディスプレイ装置の概略的な平面図である。
【図５Ｂ】図５ＡのII-II線による部分断面図である。
【図６Ａ】本発明のさらに他の一実施形態による平板ディスプレイ装置の概略的な平面図である。
【図６Ｂ】図６ＡのIII-III線による部分断面図である。
【図７Ａ】本発明のさらに他の一実施形態による平板ディスプレイ装置の概略的な平面図である。
【図７Ｂ】図７Ａの平板ディスプレイ装置の両端にねじりモーメントを加えた場合の概略的な斜視図である。
【図８】本発明のさらに他の一実施形態による平板ディスプレイ装置の概略的な斜視図である。
【符号の説明】
【００６５】
１    平板ディスプレイ装置、
１０    基板、
１１    ディスプレイ領域、
２０    密封基板、
２０’    密封層、
３０    密封材、
４０    電気要素、
５０,５０ａ,５０ｂ,５０ｃ,５０ｄ,５０ｅ    剛性部材。
【図１】
2005284252.tif 000003
【図２Ａ】
2005284252.tif 000004
【図２Ｂ】
2005284252.tif 000005
【図３Ａ】
2005284252.tif 000006
【図３Ｂ】
2005284252.tif 000007
【図４Ａ】
2005284252.tif 000008
【図４Ｂ】
2005284252.tif 000009
【図５Ａ】
2005284252.tif 000010
【図５Ｂ】
2005284252.tif 000011
【図６Ａ】
2005284252.tif 000012
【図６Ｂ】
2005284252.tif 000013
【図７Ａ】
2005284252.tif 000014
【図７Ｂ】
2005284252.tif 000015
【図８】
2005284252.tif 000016